(57)【要約】【課題】  アナログ出力可能なコンテンツ提供装置に接続された通信装置を利用して無線ネットワークを構築する場合に有効で、通信装置において認証ＩＤや暗号化キーを含む無線通信情報を簡単に設定できるネットワーク設定方法を提供する。【解決手段】  認証ＩＤや暗号化キーを含む無線通信情報にしたがって無線ネットワークを確立する通信装置において、外部装置から入力されたアナログデータをディジタルデータに変換する変換ステップと、前記ディジタルデータに無線通信情報が含まれるか否かを判定する判定ステップと、前記判定ステップにおいて前記ディジタルデータに無線通信情報が含まれると判定された場合に、前記ディジタルデータより無線通信情報を取得する取得ステップと、前記取得ステップにおいて取得された無線通信情報を所定の記憶手段に記憶させる設定ステップと、によりネットワーク設定を行うようにした。【選択図】  図１
2007134917.tif 000002
【特許請求の範囲】
【請求項１】
認証ＩＤおよび暗号化キーを含む無線通信情報にしたがって無線ネットワークを確立する通信装置のネットワーク設定方法において、
前記無線通信情報および無線通信情報が記録されていることを識別するために前記無線通信情報に付加された識別情報を含むディジタルデータが記録された可搬型記憶媒体を再生可能な音声再生装置からアナログ音声データが入力されたことを検出する検出ステップと、
前記音声再生装置から入力されたアナログ音声データをディジタルデータに変換する変換ステップと、
前記識別情報の検出に基づいて前記ディジタルデータに前記無線通信情報が含まれるか否かを判定する判定ステップと、
前記判定ステップにおいて前記ディジタルデータに前記無線通信情報が含まれると判定された場合に、前記ディジタルデータより前記無線通信情報を取得する取得ステップと、
前記取得ステップにおいて複数の前記無線通信情報が取得された場合に、前記複数の無線通信情報を比較する比較ステップと、
前記比較ステップにおいて前記複数の無線通信情報が所定の割合で一致した場合に該一致した無線通信情報を所定の記憶手段に記憶させる設定ステップと、を有することを特徴とするネットワーク設定方法。
【請求項２】
認証ＩＤおよび暗号化キーを含む無線通信情報にしたがって無線ネットワークを確立する通信装置のネットワーク設定方法において、
外部装置から入力されたアナログデータをディジタルデータに変換する変換ステップと、
前記ディジタルデータに前記無線通信情報が含まれるか否かを判定する判定ステップと、
前記判定ステップにおいて前記ディジタルデータに前記無線通信情報が含まれると判定された場合に、前記ディジタルデータより前記無線通信情報を取得する取得ステップと、
前記取得ステップにおいて取得された前記無線通信情報を所定の記憶手段に記憶させる設定ステップと、を有することを特徴とするネットワーク設定方法。
【請求項３】
前記通信装置にアナログデータが入力されたことを検出する検出ステップを含み、該検出ステップにおいてアナログデータの入力が検出されたことに基づいて前記各ステップを実行することを特徴とする請求項２に記載のネットワーク設定方法。
【請求項４】
前記判定ステップは、無線通信情報が記録されていることを識別するために前記無線通信情報に付加された識別情報の検出に基づいて前記ディジタルデータに前記無線通信情報が含まれるか否かを判定することを特徴とする請求項２または３に記載のネットワーク設定方法。
【請求項５】
前記取得ステップにおいて複数の無線通信情報が取得された場合に、前記複数の無線通信情報を比較する比較ステップを含み、この比較ステップにおいて前記複数の無線通信情報が所定の割合で一致した場合に該一致した無線通信情報を前記設定ステップにおいて記憶させることを特徴とする請求項２から４の何れかに記載のネットワーク設定方法。
【請求項６】
前記外部装置は前記無線通信情報を含むディジタルデータが記録された可搬型記憶媒体を再生可能な再生装置であり、前記可搬型記憶媒体に記録されたディジタルデータをアナログデータに変換して前記通信装置に出力することを特徴とする請求項２から５の何れかに記載のネットワーク設定方法。
【請求項７】
前記再生装置は音声再生装置であり、前記可搬型記憶媒体に記録されたディジタルデータをアナログ音声データに変換して前記通信装置に出力することを特徴とする請求項６に記載のネットワーク設定方法。
【請求項８】
認証ＩＤおよび暗号化キーを含む無線通信情報にしたがって無線ネットワークを確立する通信装置であって、
外部装置からアナログデータを入力可能な入力手段と、
前記入力手段にアナログデータが入力されたことを検出する検出手段と、
前記入力手段より入力されたアナログデータをディジタルデータに変換する変換手段と、
無線通信情報が記録されていることを識別するために前記無線通信情報に付加された識別情報の検出に基づいて前記ディジタルデータに前記無線通信情報が含まれるか否かを判定する判定手段と、
前記判定手段において前記ディジタルデータに前記無線通信情報が含まれると判定された場合に、前記ディジタルデータより前記無線通信情報を取得する取得手段と、
前記取得手段により複数の無線通信情報が取得された場合に、前記複数の無線通信情報を比較する比較手段と、
前記比較手段において前記複数の無線通信情報が所定の割合で一致した場合に該一致した無線通信情報を所定の記憶手段に記憶させる設定手段と、を有することを特徴とする通信装置。
【発明の詳細な説明】
【技術分野】
【０００１】
本発明は、無線通信により音声・映像データ（ＡＶデータ）等を伝送可能な無線データ伝送システムにおけるネットワーク設定方法に関し、特に、アナログＡＶデータを入力可能な通信装置において容易に無線通信情報を設定する技術に関する。
【背景技術】
【０００２】
近年、ＰＶＲ（Personal Video Recorder）機能を搭載したＤＶＤ／ＨＤＤレコーダやパソコンの普及が目覚ましく、それに伴い個人が家庭で視聴しうるビデオ資産も増えてきてきる。また、ＤＶＤ／ＨＤＤレコーダやパソコンなどのコンテンツ提供装置と液晶テレビ等の出力装置を有線通信により接続してホームネットワーク（家庭内ＬＡＮ）を構築する技術が普及してきており、コンテンツ提供装置に蓄積された音声データ・映像データ等のコンテンツを、コンテンツ提供装置から離れた場所で視聴できるようになっている。
【０００３】
さらに、最近では、コンテンツ提供装置と出力装置とを無線通信により接続してホームネットワークを構築する技術が提案され、一層便利になっている。この無線通信技術の一つに無線ＬＡＮがあり、無線ＬＡＮの代表的な技術としてはＩＥＥＥにおいて標準化されているＩＥＥＥ８０２．１１がある。
【０００４】
このような無線通信を利用する場合、例えば、外部からネットワークに不正にアクセスされてネットワーク内の通信機器を制御されたり、通信データを傍受されたりする等、有線通信に比べるとセキュリティ上の問題が多い。このため、通常は、無線ネットワークに接続する通信機器において、個々のネットワークを識別するための認証ＩＤ（例えば、ＳＳＩＤ：Service Set Identifier）や、通信データを傍受されても内容を知られないようにするための暗号化キー（例えば、ＷＥＰキー）を設定するようにしている。以下、認証ＩＤおよび暗号化キーを含む所定の無線ネットワークに接続するために必要な情報を無線通信情報と称する。
【０００５】
また、キーボードのような簡便な文字入力手段を持たない通信機器においては、無線通信情報の設定は極めて煩雑な作業となるため、無線通信情報の設定を簡便化する技術が提案されている。
【０００６】
具体的には、コンテンツ情報が格納されている記憶媒体（ディスク）からコンテンツ情報を読み出し、該コンテンツ情報に基づいて無線通信情報を算出し、設定するようにした通信システムが提案されている（例えば、特許文献１）。
【０００７】
また、無線通信情報が記録された所定の記憶媒体（メモリカード等）を用いて、該記憶媒体に記録された無線通信情報を通信装置において読み取り、設定するようにした技術が提案されている（例えば、特許文献２，３）。さらに、特許文献２では、一方の通信装置において所定の記憶媒体に無線通信情報を書き込み、該記憶媒体に書き込まれた無線通信情報を他方の通信装置において読み出して無線通信情報を設定する技術も開示されている。
【特許文献１】特開２００５−８０１５０号公報
【特許文献２】特開２００５−２１８０３５号公報
【特許文献３】特開２００３−２２９８７２号公報
【発明の開示】
【発明が解決しようとする課題】
【０００８】
ところで、上記特許文献１〜３に記載の通信システムは、記憶媒体に記録された無線通信情報またはコンテンツ情報をディジタルデータとして読み取り、無線通信情報をそのまま、或いはコンテンツ情報に基づいて算出して設定するものである。すなわち、記憶媒体に記録されたディジタルデータをそのまま読み取り可能であることが前提となっている。そのため、コンテンツ提供装置と無線ネットワークに接続する通信装置とを別々に構成し、このコンテンツ提供装置により記憶媒体に記録されたディジタルデータを読み出そうとする場合は、コンテンツ提供装置からディジタルデータを出力して通信装置に入力する必要がある。
【０００９】
一方、昨今では、ＩＥＥＥ１３９４準拠の通信技術によりディジタルデータを出力可能とされたコンテンツ提供装置（例えば、ＤＶＤ／ＨＤＤレコーダ等）も普及してきたが、従来のコンテンツ提供装置（例えば、ＣＤプレイヤー等）にはディジタル出力を備えないアナログ出力だけ可能とされたものが多い。そのため、このようなアナログ出力しか持たない機器をコンテンツ提供装置として無線ネットワークを構築する場合も少なくない。
【００１０】
しかしながら、このようなアナログ出力しか持たないコンテンツ提供装置を利用する場合、無線通信情報をディジタルデータで入力されることを前提とした上記特許文献１〜３に記載の技術を実現することは困難である。
【００１１】
本発明は、アナログ出力可能なコンテンツ提供装置に接続された通信装置を利用して無線ネットワークを構築する場合に有効で、通信装置において認証ＩＤや暗号化キーを含む無線通信情報を簡単に設定できるネットワーク設定方法を提供することを目的とする。
【課題を解決するための手段】
【００１２】
本発明は、上記課題を解決するためになされたものであり、認証ＩＤおよび暗号化キーを含む無線通信情報にしたがって無線ネットワークを確立する通信装置のネットワーク設定方法において、外部装置から入力されたアナログデータをディジタルデータに変換する変換ステップと、前記ディジタルデータに前記無線通信情報が含まれるか否かを判定する判定ステップと、前記判定ステップにおいて前記ディジタルデータに前記無線通信情報が含まれると判定された場合に、前記ディジタルデータより前記無線通信情報を取得する取得ステップと、前記取得ステップにおいて取得された前記無線通信情報を所定の記憶手段に記憶させる設定ステップと、を有することを特徴とする。
【００１３】
これにより、従来より広く普及しているアナログ出力しかもたない外部装置をコンテンツ提供装置として無線ネットワークを構築する場合でも、極めて簡便にネットワーク設定を行うことができる。また、昨今普及してきたディジタル出力可能なコンテンツ提供装置であっても、アナログ出力は必ず備えているので本発明を適用しても差し支えない。
【００１４】
また、前記通信装置にアナログデータが入力されたことを検出する検出ステップを含み、該検出ステップにおいてアナログデータの入力が検出されたことに基づいて前記各ステップを実行するようにした。これにより、外部装置からアナログデータが入力されると自動的にネットワーク設定を試みることとなるので、ユーザはネットワーク設定のために特別な操作を行う必要はない。
【００１５】
また、前記判定ステップは、無線通信情報が記録されていることを識別するために前記無線通信情報に付加された識別情報の検出に基づいて前記ディジタルデータに前記無線通信情報が含まれるか否かを判定するようにした。これにより、外部装置から入力されたアナログデータに無線通信情報が含まれているか否かを容易に判定することができる。例えば、音声データのみ記録された記憶媒体（例えば、音楽ＣＤ）が再生装置に装着された場合には、上記識別情報は検出されないので無線通信情報は含まれていないと判定され、ネットワーク設定は行われないこととなる。
【００１６】
また、前記取得ステップにおいて複数の無線通信情報が取得された場合に、前記複数の無線通信情報を比較する比較ステップを含み、この比較ステップにおいて前記複数の無線通信情報が所定の割合で一致した場合に該一致した無線通信情報を前記設定ステップにおいて記憶させるようにした。これにより、通信装置において無線通信情報が誤って復調された場合等は設定されなくなるので、正確な無線通信情報を設定することができる。
【００１７】
さらに、前記外部装置は前記無線通信情報を含むディジタルデータを記録された可搬型記憶媒体（ＣＤやＤＶＤのディスク型記憶媒体等）を再生可能な再生装置（例えば、ＣＤプレイヤーやＤＶＤプレイヤー等）であり、前記可搬型記憶媒体に記録されたディジタルデータをアナログデータに変換して前記通信装置に出力するようにした。これにより、無線通信情報を記録したＣＤやＤＶＤ等を再生装置において再生するという、再生装置における極めて普通の操作によりネットワーク設定を行うことができる。
【００１８】
望ましくは、前記再生装置は音声再生装置であり、前記可搬型記憶媒体に記録されたディジタルデータをアナログ音声データに変換して出力するようにした。これにより、電話回線を利用したＦＡＸやモデム等の音声変換技術を利用して、ディジタルデータである無線通信情報をアナログ音声データに変換して通信装置に出力することができる。
【発明の効果】
【００１９】
本発明によれば、一般に広く普及しているアナログ出力を持つ機器をコンテンツ提供装置として無線ネットワークを構築する場合に、このコンテンツ提供装置とアナログ接続された通信装置において極めて簡便にネットワーク設定を行うことができる。また、コンテンツ提供装置を利用してＣＤやＤＶＤ等の記憶媒体に記録された無線通信情報を読み出し通信装置に出力するので、上記特許文献１〜３のように記憶媒体から無線通信情報を読み出すための装置を新たに設けることはなく、既存のハードウェア資源を有効に利用することができる。
【発明を実施するための最良の形態】
【００２０】
以下、本発明の好適な実施の形態を図面に基づいて説明する。
図１は、本実施形態に係る無線データ伝送システム１０の概略構成図である。
図１に示すように、無線データ伝送システム１０は、サーバ機器１００と、クライアント機器２００と、コンテンツ情報（音声データ等）を提供するコンテンツ提供装置３００と、スピーカ等の出力装置４００と、で構成される。サーバ機器１００は、コンテンツ提供装置３００から提供されたコンテンツ情報を無線通信によりクライアント装置２００に送信する。クライアント機器２００は、サーバ機器１００から送信されたコンテンツ情報を受信し、出力装置４００に供給する。
【００２１】
本実施形態では、サーバ機器１００とコンテンツ提供装置３００は、例えば、アナログのオーディオケーブルで接続される。一方、クライアント機器２００と出力装置４００はＩＥＥＥ１３９４準拠のケーブル等で接続される。また、サーバ機器１００とクライアント機器２００の間はＩＥＥＥ８０２．１１に基づく無線ＬＡＮを利用してデータを伝送できる。
【００２２】
ここで、本実施形態では、コンテンツ提供装置３００として、ＣＤプレイヤー等の音声再生装置を適用する。コンテンツ提供装置３００では、音楽ＣＤ等のディスク型記憶媒体からコンテンツ情報（ディジタル音声データ等）を読出し、このディジタル音声データをアナログ音声データに変換してサーバ機器１００に出力する。
【００２３】
また、クライアント機器２００には、所定の無線ネットワークに接続するための認証ＩＤ（例えば、ＳＳＩＤ）と暗号化キー（例えば、ＷＥＰキー）を含む無線通信情報が記録された可搬型記憶媒体としての音楽ＣＤ５００が付属される。記憶媒体として音楽ＣＤを用いているのは、一般的なＣＤプレイヤーにおいて再生可能であるからである。
【００２４】
図２は、音楽ＣＤ５００に記録された無線通信情報のデータフォーマットの一例である。
図２に示すように、音楽ＣＤ５００には無線通信情報５１２，５１４，５１６が記録されており、それぞれの無線通信情報の前に無線通信情報が記録されていることを識別するための検出用識別情報５１１，５１３，５１５が付加されている。後述する無線通信情報取得部１０７では、この検出用識別情報５１１，５１３，５１５を検出することに基づいて、これに続いて記録されている無線通信情報を取得することとなる。この検出用識別情報は、例えば、通常の音声データとは明らかに異なる特定のデータとすることで、音声データと区別させることができる。
【００２５】
また、無線通信情報５１２，５１４，５１６は、データの開始位置を示す固定値（ＳＴＸ）５２１と、ＳＳＩＤ５２２と、暗号化キー５２３と、送受信する際の誤り検出のためのチェックサム（例えば、ＳＳＩＤ５２２と暗号化キー５２３のエクスクルーシブＯＲ値）５２４と、データの終了位置を示す固定値（ＥＴＸ）５２５と、で構成される。
【００２６】
なお、図２の音楽ＣＤ５００には、３つの無線通信情報５１２，５１４，５１６が記録されているが、データ自体はすべて同じである。これは、サーバ機器１００において正確な無線通信情報を設定するためで、サーバ機器１００においてデータの復調等で誤った無線通信情報が設定されないようにするためである。
【００２７】
この音楽ＣＤ５００をコンテンツ提供装置３００により再生することで、無線通信情報がアナログ音声データに変換され、サーバ機器１００に出力されることとなる。なお、クライアント機器２００では、音楽ＣＤ５００に記録されている無線通信情報は予め設定されているものとする。
【００２８】
図３は、サーバ機器１００の機能ブロック図である。図３に示すように、サーバ機器１００は、Ａ／Ｄ変換部１０１と、ＭＰＥＧエンコーダ１０２と、送信側バッファ１０３と、無線ＬＡＮ通信部１０４と、ＲＦ部１０５と、アンテナ１０６と、無線通信情報取得部１０７と、無線通信情報記憶部１０８と、サーバ制御部１０９と、を有する。
【００２９】
Ａ／Ｄ変換部１０１は、コンテンツ提供装置３００から入力されたアナログ音声データをディジタルデータに変換する。ＭＰＥＧエンコーダ１０２は、Ａ／Ｄ変換部１０１から供給されたディジタル音声データをＭＰＥＧ２方式に従い圧縮符号化する。つまり、変換されたディジタルデータに無線通信情報が含まれる場合は、これを除くディジタル音声データのみを圧縮符号化することとなる。
【００３０】
送信側バッファ１０３は、供給されたディジタル音声データを格納する。無線ＬＡＮ通信部１０４は、送信側バッファ１０３から出力されたディジタル音声データに対して、プロトコル処理および変復調処理を行う。ここで、無線ネットワークを確立する際には無線通信情報記憶部１０８に設定された無線通信情報が用いられる。ＲＦ部１０５は、アンテナ１０６を介してクライアント機器２００と電波の送受信を行う。
【００３１】
無線通信情報取得部１０７は、Ａ／Ｄ変換部１０１から供給されたディジタルデータに無線通信情報が含まれている場合に、該無線通信情報を取得し、無線通信情報記録部１０８に供給する。このとき、前記ディジタルデータから検出用識別情報を検出することに基づいて、無線通信情報が含まれているか否かを判定する。無線通信情報記憶部１０８は、例えばフラッシュメモリで構成され、無線通信情報取得部１０７により取得された無線通信情報が記憶される。
【００３２】
サーバ制御部１０９は、図示しないＣＰＵと、ＲＡＭと、ＲＯＭと、で構成される。ＲＯＭには各種制御プログラムが格納されており、ＣＰＵはＲＡＭを作業領域として利用しつつ、ＲＯＭ内の制御プログラムに従って動作する。
【００３３】
例えば、無線通信情報取得部１０７において、Ａ／Ｄ変換部１０１から供給されたディジタルデータから無線通信情報を取得する際に、前記ディジタルデータに無線通信情報が含まれるか否かを判定する判定手段、無線通信情報が含まれている場合に無線通信情報を取得させる取得手段、前記取得手段において取得された無線通信情報を所定の記憶手段に記憶させる設定手段、として機能する。また、無線通信情報記憶部１０８に記憶された無線通信情報にしたがって無線ネットワークを確立する無線通信制御手段として機能する。
【００３４】
上記構成をしたサーバ機器１００においては、コンテンツ提供装置３００からアナログ音声データとして入力された無線通信情報がＡ／Ｄ変換され、変換されたディジタルデータを無線通信情報記憶部１０８に記憶させることにより、ネットワーク設定が行われる。サーバ機器１００において、このようにネットワーク設定がなされることで、同じ無線通信情報を設定されているクライアント機器２００との無線通信が可能となる。なお、サーバ機器１００における詳細なネットワーク設定処理については後述することとする。
【００３５】
図４は、クライアント機器２００の機能ブロック図である。図４に示すように、クライアント機器２００は、アンテナ２０１と、ＲＦ部２０２と、無線ＬＡＮ通信部２０３と、受信側バッファ２０４と、ＭＰＥＧデコーダ２０５と、Ｄ／Ａ変換部２０６と、無線通信情報記憶部２０７と、クライアント制御部２０８と、を有する。
【００３６】
ＲＦ部２０２は、アンテナ２０１を介してサーバ機器１００と電波の送受信を行う。無線ＬＡＮ通信部２０３は、ＲＦ部２０２から供給されたディジタル音声データに対してプロトコル処理および変復調処理を行う。ここで、無線ネットワークを確立する際には無線通信情報記憶部２０７に設定された無線通信情報が用いられる。受信側バッファ２０４は、無線ＬＡＮ通信部２０３から供給されたディジタル音声データを順次格納する。
【００３７】
ＭＰＥＧデコーダ２０５は、受信側バッファ２０４から供給されたディジタル音声データを伸張復号化する。Ｄ／Ａ変換部２０６は、ＭＰＥＧデコーダ２０５から供給されたディジタル音声データをアナログ音声データに変換し、出力装置４００に出力する。なお、出力装置４００が、ディジタル音声データを再生可能な場合は、ＭＰＥＧデコーダ２０５およびＤ／Ａ変換部２０６は使用されない。
【００３８】
無線通信情報記憶部２０７は、例えばフラッシュメモリで構成され、所定の無線ネットワークに接続するための無線通信情報が記憶される。この無線通信情報は、音楽ＣＤ５００に記録されている無線通信情報と同じで、無線通信情報記憶部２０７には予め設定されている。
【００３９】
クライアント制御部２０８は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。
例えば、無線通信情報記憶部２０７に記憶された無線通信情報にしたがって無線ネットワークを確立する無線通信制御手段として機能する。
【００４０】
上記構成をしたクライアント機器２００においては、音楽ＣＤ５００に記録されている無線通信情報が予め設定されているので、サーバ機器１００において無線通信情報が設定された後、サーバ機器１００との無線通信が可能となる。
【００４１】
以下に、サーバ機器１００におけるネットワーク設定処理について説明する。
図５は、ネットワーク設定手段としてのサーバ制御部１０９によるネットワーク設定処理を示したフローチャートである。
まず、ステップＳ１０１で、コンテンツ提供装置３００からアナログ音声データが入力されたか検出する（検出ステップ）。例えば、コンテンツ提供装置３００に無線通信情報が記録された音楽ＣＤ５００が装着され再生されると、コンテンツ提供装置３００において無線通信情報がアナログ音声データに変換され、このアナログ音声データがサーバ機器１００に入力される。ここで、コンテンツ提供装置３００におけるデータ変換には、電話回線を利用したＦＡＸやモデム等の音声変換技術を利用することができる。
【００４２】
そして、このアナログ音声データの入力を検出するとステップＳ１０２に移行する。つまり、コンテンツ提供装置３００からアナログ音声データが入力されると自動的にネットワーク設定を試みることとなり、ユーザはネットワーク設定のために特別な操作を行う必要はない。
【００４３】
ステップＳ１０２では、サーバ機器１００の電源を投入し、Ａ／Ｄ変換部１０１や無線通信情報取得部１０７等の各ブロックにおいてデータを処理できる状態とする。
【００４４】
次いで、ステップＳ１０３では、Ａ／Ｄ変換部１０１において、入力されたアナログ音声データをディジタルデータに変換する（変換ステップ）。
【００４５】
次いで、ステップＳ１０４では、ステップＳ１０３において変換されたディジタルデータに無線通信情報が含まれているか判定する（判定ステップ）。具体的には、前記ディジタルデータに検出用識別情報５１１，５１３，５１５（図２参照）があるときに、無線通信情報が含まれていると判定する。このように、検出用識別情報５１１，５１３，５１５の検出に基づいて、ディジタルデータに無線通信情報が含まれるか否かを判定するようにしたので、コンテンツ提供装置３００に装着された記憶媒体（例えば、音楽ＣＤ等）に無線通信情報が記録されているか否かを容易に判定することができる。
【００４６】
そして、ステップＳ１０４でディジタルデータに無線通信情報が含まれていないと判定した場合は、ネットワーク設定を行うことなく、処理を終了する。例えば、一般に市販されている楽曲データが記録された音楽ＣＤがコンテンツ提供装置３００に装着された場合には、無線通信情報は含まれていないと判定されるので、ネットワーク設定は行われないこととなる。
【００４７】
一方、ステップＳ１０４でディジタルデータに無線通信情報が含まれていると判定した場合は、ディジタルデータに含まれる無線通信情報を取得する（ステップＳ１０５，取得ステップ）。本実施形態では、図２に示すように音楽ＣＤ５００に３つの無線通信情報が含まれるようにしているので、ステップＳ１０５では３つの無線通信情報を取得することとなる。なお、音楽ＣＤ５００に記録される無線通信情報の数は制限されず、例えば、無線通信情報が１つしか記録されていない場合でも、コンテンツ提供装置３００において繰り返し再生を行わせることで、所望の回数だけ無線通信情報を取得させることができる。
【００４８】
次いで、ステップＳ１０５で取得した３つの無線通信情報のうち、２つ以上が一致するか比較する（ステップＳ１０６，比較ステップ）。具体的には、取得した無線通信情報を構成するそれぞれのデータ（図２のデータフォーマット参照）を比較する。そして、２つ以上の無線通信情報が一致したと判定した場合は、該無線通信情報を無線通信機億部１０８に記憶させる（ステップＳ１０７，設定ステップ）。
【００４９】
一方、ステップＳ１０５で取得した３つの無線通信情報のうち、２つ以上が一致しないと判定した場合は、ステップＳ１０５に移行し再度無線通信情報を取得する。例えば、コンテンツ提供装置３００において、データを繰り返し再生させる状態にしておけば、改めて無線通信情報を取得し直すことができる。
【００５０】
このように、ステップＳ１０５において取得された３つの無線通信情報を比較し、取得した無線通信情報が所定の割合で一致した場合に前記設定ステップにおいて該無線通信情報を記憶させるようにしている。これにより、サーバ機器１００において無線通信情報が誤って復調された場合等は無線通信情報が所定の割合で一致しなくなるので、誤ったまま設定されることはなく、正確な無線通信情報を設定することができる。
【００５１】
上述したように、本実施形態のサーバ機器１００においては、無線通信情報が記録された音楽ＣＤ５００をコンテンツ提供装置３００で再生させるという、コンテンツ提供装置３００における極めて普通の操作により簡単にネットワーク設定を行うことができる。また、一般に広く普及しているアナログ出力を持つコンテンツ提供装置３００を利用して無線通信情報を読み出し、設定することができるので、既存のハードウェア資源を有効に利用した無線ネットワークを構築することができる。
【００５２】
以上、本発明者によってなされた発明を実施形態に基づいて具体的に説明したが、本発明は前記実施形態に限定されるものではなく、その要旨を逸脱しない範囲で変更可能である。
例えば、上記実施形態では、コンテンツ提供装置３００において無線通信情報をアナログ音声データに変換してアナログオーディオケーブルを介して出力する場合について例示したが、コンテンツ提供装置３００において無線通信情報をアナログ映像データに変換してコンポジットビデオケーブルを介して出力するように構成してもよい。また、アナログデータだけでなく、ディジタルデータも出力可能な構成としても構わない。
【００５３】
また、無線通信情報が記録される記録媒体は音楽ＣＤに制限されず、ＤＶＤやＭＤ等の一般的なコンテンツ提供装置で再生可能なディスク型記憶媒体や、メモリカード等のカード型記憶媒体としてもよい。
【図面の簡単な説明】
【００５４】
【図１】本実施形態の無線データ伝送システムの概略構成図である。
【図２】音楽ＣＤに記録された無線通信情報のデータフォーマットである。
【図３】サーバ機器１００の機能ブロック図である。
【図４】クライアント機器２００の機能ブロック図である。
【図５】サーバ機器１００におけるネットワーク設定処理を示すフローチャートである。
【符号の説明】
【００５５】
１０    無線データ伝送システム
１００  サーバ機器
２００  クライアント機器
３００  コンテンツ提供装置（ＣＤプレイヤー）
４００  出力装置（スピーカ）
５００  音楽ＣＤ
【図１】
2007134917.tif 000003
【図２】
2007134917.tif 000004
【図３】
2007134917.tif 000005
【図４】
2007134917.tif 000006
【図５】
2007134917.tif 000007